(57)【要約】【課題】自発光素子を有する発光装置において、非駆動時に光が入射しても劣化することを抑制し、かつ製造コストが増加することを抑制する。【解決手段】発光装置１０は、自発光素子１００、スイッチ素子２００、筐体３００、及び露出部材２２０を備えている。スイッチ素子２００は自発光素子１００に対して電気的に並列に設けられている。筐体３００は、自発光素子１００及びスイッチ素子２００を収容している。筐体３００は開口３２０を有している。露出部材２２０は、開口３２０から筐体３００の外に露出しており、かつ移動可能になっている。そして、スイッチ素子２００は、露出部材２２０の位置によってオン／オフが切り替わる。【選択図】図１
2015082427.tif 000002
【特許請求の範囲】
【請求項１】
自発光素子と、
前記自発光素子に対して電気的に並列に設けられたスイッチ素子と、
前記スイッチ素子及び前記自発光素子を収容する筐体と、
前記筐体に設けられた開口から露出しており、かつ移動可能な露出部材と、
を備え、
前記スイッチ素子は、前記露出部材の位置によってオン／オフが切り替わる発光装置。
【請求項２】
前記露出部材を前記開口から突出する方向に付勢する付勢部を備え、
前記スイッチ素子は、前記露出部材の端部が前記開口の外部に突出しているときにオンになり、前記露出部材の前記端部が前記筐体内に位置しているときにはオフになる請求項１に記載の発光装置。
【請求項３】
前記筐体は、前記発光装置が使用されるときに他の物と接触する接触面を有し、
前記開口は、前記筐体の前記接触面に形成されている請求項２に記載の発光装置。
【請求項４】
前記スイッチ素子と前記自発光素子の間に設けられたヒューズを備える請求項１〜３に記載の発光装置。
【請求項５】
前記自発光素子は有機ＥＬ素子である請求項１〜４に記載の発光装置。
【発明の詳細な説明】
【技術分野】
【０００１】
本発明は、発光装置に関する。
【背景技術】
【０００２】
有機ＥＬ（Electroluminescence）装置やＬＥＤ（Light Emitting Diode）などの自発光素子は、電力を光に変換する。このため、動作していない自発光素子に光が入射すると、自発光素子は光電変換素子として機能するため、自発光素子に電荷がたまる。自発光素子は、この電荷に起因して劣化する恐れがある。
【０００３】
これに対して特許文献１には、自発光素子が有する２つの電極のそれぞれを、スイッチを介して接地させることが記載されている。これらのスイッチは、自発光素子が駆動しているときはオフになり、自発光素子が駆動していないときにオンになる。
【先行技術文献】
【特許文献】
【０００４】
【特許文献１】特開２００６−１０７９２０号公報
【発明の概要】
【発明が解決しようとする課題】
【０００５】
特許文献１に記載の技術では、スイッチを制御する制御回路を設ける必要がある。従って、発光装置の製造コストが増えてしまう。
【０００６】
本発明が解決しようとする課題としては、自発光素子を有する発光装置において、非駆動時に光が入射しても劣化することを抑制し、かつ製造コストが増加することを抑制することが一例として挙げられる。
【課題を解決するための手段】
【０００７】
請求項１に記載の発明は、自発光素子と、
前記自発光素子に対して電気的に並列に設けられたスイッチ素子と、
前記スイッチ素子及び前記自発光素子を収容する筐体と、
前記筐体に設けられた開口から露出しており、かつ移動可能な露出部材と、
を備え、
前記スイッチ素子は、前記露出部材の位置によってオン／オフが切り替わる発光装置である。
【図面の簡単な説明】
【０００８】
【図１】実施形態に係る発光装置の機能構成を示す図である。
【図２】発光装置を他のものに取り付けた状態を示す図である。
【図３】実施例１に係る発光装置の断面図である。
【図４】図３に示した発光装置を光取出部側から見た斜視図である。
【図５】図３に示した発光装置を接触面側から見た斜視図である。
【図６】実施例２に係る発光装置の側面図である。
【図７】口金の断面図である。
【図８】実施例３に係る発光装置の構成を示す図である。
【図９】図８に示した発光装置の端部の構成を示す断面図である。
【図１０】実施例４に係る発光装置の構成を示す図である。
【図１１】図１０に示した発光装置の等価回路図である。
【発明を実施するための形態】
【０００９】
以下、本発明の実施の形態について、図面を用いて説明する。尚、すべての図面において、同様な構成要素には同様の符号を付し、適宜説明を省略する。
【００１０】
図１は、実施形態に係る発光装置１０の機能構成を示す図である。本実施形態に係る発光装置１０は、自発光素子１００、スイッチ素子２００、筐体３００、及び露出部材２２０を備えている。スイッチ素子２００は自発光素子１００に対して電気的に並列に設けられている。筐体３００は、自発光素子１００及びスイッチ素子２００を収容している。筐体３００は開口３２０を有している。露出部材２２０は、開口３２０から筐体３００の外に露出しており、かつ移動可能になっている。そして、スイッチ素子２００は、露出部材２２０の位置によってオン／オフが切り替わる。以下、詳細に説明する。
【００１１】
自発光素子１００は、例えば有機ＥＬ素子であるが、ＬＥＤであってもよい。自発光素子１００は、第１電極１２０及び第２電極１４０を有している。第１電極１２０は、配線１２２を介して発光装置１０の端子１２に接続しており、第２電極１４０は配線１４２を介して発光装置１０の端子１４に接続している。そして、スイッチ素子２００の一端は配線１２２に接続しており、スイッチ素子２００の他端は配線１４２に接続している。
【００１２】
スイッチ素子２００は、例えば接点を有する機械的なスイッチである。そしてスイッチ素子２００の可動部は、露出部材２２０の一方の端部２２４に接続している。露出部材２２０の反対側の端部２２２は、開口３２０から外部に突出可能になっている。そしてスイッチ素子２００は、露出部材２２０の端部２２２が開口３２０の外部に突出しているときにオンになり、端部２２２が筐体３００内に向けて押し込められたときにオフになる。
【００１３】
発光装置１０は、さらに付勢部２４０を有している。付勢部２４０は、露出部材２２０を、端部２２２が開口３２０の外部に突出する方向に付勢している。付勢部２４０は、例えばバネである。このため、筐体３００の外部から露出部材２２０に力が加わっていないとき、露出部材２２０の端部２２２は開口３２０の外部に突出するため、スイッチ素子２００はオンになる。
【００１４】
また、筐体３００は接触面３０４を有している。接触面３０４は、発光装置１０が使用されるときに他の物（例えば照明器具の本体）に接触する面である。開口３２０は接触面３０４に設けられている。このため、図２に示すように、発光装置１０が他の物に取り付けられたとき、露出部材２２０の端部２２２は筐体３００の内部に向けて押し込められる。その結果、スイッチ素子２００はオフになる。
【００１５】
発光装置１０が使用されていない状態において、自発光素子１００に光が入射することがある。この場合、自発光素子１００は光電変換素子として機能する。このため、自発光素子１００には正孔と電子が発生する。正孔及び電子が自発光素子１００に蓄積すると、自発光素子１００は劣化する。特に自発光素子１００が有機ＥＬ素子の場合、自発光素子１００に正孔及び電子が蓄積すると、自発光素子１００は劣化しやすくなる。
【００１６】
これに対して本実施形態では、スイッチ素子２００は自発光素子１００に対して電気的に並列に設けられている。このため、スイッチ素子２００がオンしているとき、自発光素子１００の第１電極１２０及び第２電極１４０は短絡している。このため、自発光素子１００で発生した正孔及び電子は再結合し、消滅する。従って、自発光素子１００に正孔及び電子が蓄積することを抑制できる。そして本実施形態では、スイッチ素子２００は、露出部材２２０の位置によってオン／オフが切り替わる。スイッチ素子２００の露出部材２２０は、筐体３００の開口３２０から露出している。従って、容易にスイッチ素子２００のオン／オフを切り替えることができる。また、制御部を必要としないため、発光装置１０の製造コストが増加することを抑制できる。また、スイッチ操作に電源を必要としないため、発光装置１０の消費電力を抑制できる。
【００１７】
また、本実施形態では、発光装置１０は付勢部２４０を備えている。付勢部２４０は、露出部材２２０を、端部２２２が開口３２０の外部に突出する方向に付勢している。そして、スイッチ素子２００は、露出部材２２０の端部２２２が開口３２０の外部に突出しているときにオンになる。このため、露出部材２２０に力が加わっていない状態では、スイッチ素子２００はオンになり、その結果、自発光素子１００の第１電極１２０及び第２電極１４０は短絡する。従って、発光装置１０を使用していない状態において、スイッチ素子２００をオンにし忘れることを防止できる。
【００１８】
また本実施形態では、開口３２０は、筐体３００の接触面３０４に設けられている。このため、発光装置１０が他の物に取り付けられた場合、露出部材２２０はその他の物によって押し込められる。その結果、スイッチ素子２００はオフになる。従って、発光装置１０を使用するときに、スイッチ素子２００をオフにし忘れることを防止できる。
【実施例】
【００１９】
（実施例１）
図３は、実施例１に係る発光装置１０の断面図である。図４は、発光装置１０を光取出部３０２側から見た斜視図である。図５は、発光装置１０を接触面３０４側から見た斜視図である。
【００２０】
本図に示す例において、自発光素子１００は面発光素子である。そして平板状の筐体３００の一方の面が光取出部３０２となっており、光取出部３０２とは逆側の面が接触面３０４となっている。そして接触面３０４に開口３２０が設けられている。
【００２１】
筐体３００の端面からは、コード１６が延在している。コード１６の内部には、配線１２２，１４２が設けられている。配線１２２の端部は、筐体３００の内部において自発光素子１００の第１電極１２０（図示せず）に接続しており、配線１４２の端部は、筐体３００の内部において自発光素子１００の第２電極１４０（図示せず）に接続している。
【００２２】
また、配線１２２のうち筐体３００の内部に位置する部分からは、配線２１２が分岐している。同様に、配線１４２のうち筐体３００の内部に位置する部分からは、配線２１４が分岐している。配線２１２はスイッチ素子２００の一端（例えば可動部）に接続しており、配線２１４はスイッチ素子２００の他端（例えば固定部）に接続している。そして、スイッチ素子２００の可動部は板バネとなっており、付勢部２４０を兼ねている。
【００２３】
本実施例によっても、自発光素子１００に正孔及び電子が蓄積することを抑制でき、かつ、発光装置１０の製造コストが増加することを抑制できる。また、筐体３００の接触面３０４に開口３２０が設けられているため、発光装置１０を使用するときに、スイッチ素子２００をオフにし忘れることを防止できる。さらに、スイッチ素子２００の可動部が付勢部２４０を兼ねているため、発光装置１０が未使用状態のときにスイッチ素子２００を確実にオンにすることができ、かつ発光装置１０の部品点数を少なくすることができる。
【００２４】
（実施例２）
図６は、実施例２に係る発光装置１０の側面図である。本実施例において、発光装置１０は電球型の照明装置であり、球状の光取出部３０２の一部に口金１８を設けた構成を有している。口金１８の端部には、端子１２、１４が設けられている。端子１２と端子１４の間には、絶縁部材２３０が位置している。そして、端子１４が露出部材２２０を兼ねている。そして、光取出部３０２及び口金１８によって、筐体３００が構成されている。なお、光取出部３０２の内側に自発光素子１００が設けられている。
【００２５】
図７は、口金１８の断面図である。口金１８の内部には絶縁性のベース部材２３２が位置している。そして、ベース部材２３２の側面の全周には、端子１２となる電極が設けられている。また、端子１４となる露出部材２２０は、ベース部材２３２を上下に貫通している。
【００２６】
ベース部材２３２の下面（光取出部３０２とは逆側の面）には、絶縁部材２３０が取り付けられている。端子１２の下部は絶縁部材２３０の側面の一部を覆っている。また、絶縁部材２３０のうちベース部材２３２と接する面には凹部２３４が設けられている。凹部２３４の幅は、露出部材２２０のうちベース部材２３２を貫通している部分の幅よりも大きくなっている。そして、凹部２３４には、付勢部２４０が設けられている。本図に示す例において、付勢部２４０はコイルバネであり、その径は凹部２３４の幅よりも小さい。そして露出部材２２０は、付勢部２４０の内側を通っている。
【００２７】
また、絶縁部材２３０の下端には開口３２０が形成されている。開口３２０は絶縁部材２３０を貫通している。露出部材２２０のうち端子１４となる端部は、開口３２０から外部に露出可能になっている。なお、端子１４のうち付勢部２４０が接する側の面は横方向に突出しており、突出部２２１となっている。突出部２２１は開口３２０よりも径が大きい。このため、端子１４は、突出部２２１が凹部２３４の底面に当接することにより、絶縁部材２３０から抜けないようになっている。そして、絶縁部材２３０のうち凹部２３４の底部に位置する部分の厚さは、端子１４の厚さよりも薄い。このため、突出部２２１が凹部２３４の底面に当接した状態において、端子１４は絶縁部材２３０の外部に突出する。
【００２８】
露出部材２２０のうち端子１４となる側の端部は、露出部材２２０のうちベース部材２３２を貫通している部分よりも太くなっている。そして、この端部に、付勢部２４０の一端が接している。また付勢部２４０の他端はベース部材２３２に接している。このようにして、付勢部２４０は露出部材２２０を、絶縁部材２３０から突出する方向に付勢している。なお、上記したように、端子１４には突出部２２１が設けられている。このため、付勢部２４０が露出部材２２０を付勢しても、突出部２２１が凹部２３４の底面に当接するため、端子１４（露出部材２２０）は、絶縁部材２３０から抜けない。
【００２９】
また、ベース部材２３２の上面（光取出部３０２側の面）には、凹部２３３が設けられており、凹部２３３の底部から露出部材２２０のうち端子１４とは逆側の端部が露出している。この端部には、スイッチ素子２００の可動端２０２が接触可能になっている。具体的には、露出部材２２０の突出部２２１が凹部２３４の底面に当接している状態では、露出部材２２０はスイッチ素子２００の可動端２０２から離れている。この状態において、スイッチ素子２００の可動端２０２はスイッチ素子２００の固定端２０４に接続している。一方、端子１４が絶縁部材２３０の内部に押し込められて状態では、露出部材２２０はスイッチ素子２００の可動端２０２に接触し、可動端２０２を変位させている。この状態において、スイッチ素子２００の可動端２０２は固定端２０４から離れている。
【００３０】
なお、露出部材２２０のうち端子１４とは逆側の端部（すなわち筐体３００の内側に位置するほうの端部）には、配線１４２が接続している。また、端子１２の内側の面には配線１２２が接続している。さらに、スイッチ素子２００の可動端２０２には配線２１４が接続しており、スイッチ素子２００の固定端２０４には配線２１２が接続している。
【００３１】
本実施例において、発光装置１０の口金１８が照明器具に取り付けられる前の状態では、スイッチ素子２００の可動端２０２はスイッチ素子２００の固定端２０４に接続している。従って、自発光素子１００に正孔及び電子が蓄積することを抑制できる。また、口金１８が照明器具にねじ込まれたとき、露出部材２２０（端子１４）が口金１８の内側に押し込められる。すると、スイッチ素子２００の可動端２０２は固定端２０４から離れる。従って、自発光素子１００を使用することができる。また、制御部を必要としないため、発光装置１０の製造コストが増加することを抑制できる。
【００３２】
（実施例３）
図８は、実施例３に係る発光装置１０の構成を示す図である。本図に示す発光装置１０は、直管型の蛍光灯と同様の形状を有している。具体的には、円柱状の光取出部３０２の内部に自発光素子１００が設けられている。そして光取出部３０２の少なくとも一方の端部に、端子１２、端子１４、開口３２０、及び露出部材２２０が設けられている。
【００３３】
図９は、図８に示した発光装置１０の端部の構成を示す断面図である。本図に示す例において、円柱状の光取出部３０２の端部は、絶縁部材３１４によって塞がれている。端子１２，１４は、いずれも絶縁部材３１４を貫通しているが、絶縁部材３１４に固定されている。端子１２のうち光取出部３０２側の端部には配線１２２が接続しており、端子１４のうち光取出部３０２側の端部には配線１４２が接続している。また、露出部材２２０も絶縁部材３１４を貫通している。ただし、露出部材２２０は、絶縁部材３１４の厚さ方向に移動可能となっている。
【００３４】
絶縁部材３１４及び光取出部３０２の端部は、固定部材３１２によって覆われている。言い換えると、発光装置１０の筐体３００は、光取出部３０２、絶縁部材３１４、及び固定部材３１２によって形成されている。そして、絶縁部材３１４は、固定部材３１２によって光取出部３０２の端部に固定されている。端子１２，１４は、固定部材３１２を貫通している。さらに固定部材３１２のうち絶縁部材３１４に対向する領域には、開口３２０が設けられている。露出部材２２０の一方の端部２２２は、開口３２０から筐体３００の外部に露出している。また、露出部材２２０の他方の端部２２４は、絶縁部材３１４よりも光取出部３０２側に位置している。そして、露出部材２２０のうち端部２２２と端部２２４の間の部分（貫通部２２６）は、端部２２２，２２４よりも細くなっている。
【００３５】
貫通部２２６の長さは、絶縁部材３１４の厚さよりも大きい。そして、端部２２２と絶縁部材３１４の間に、付勢部２４０としてのコイルバネが設けられている。付勢部２４０の一端は、端部２２２のうち絶縁部材３１４側の端面に当接しており、付勢部２４０の他端は、絶縁部材３１４のうち端部２２２側の面に当接している。これにより、付勢部２４０は、露出部材２２０を開口３２０から突出する方向に付勢する。一方、端部２２４は絶縁部材３１４のうち貫通部２２６が貫通している孔よりも大きい。従って、端部２２４が絶縁部材３１４のうち光取出部３０２側の面に当接することにより、付勢部２４０によって露出部材２２０が付勢されても、露出部材２２０は筐体３００から抜けない。
【００３６】
また、端部２２４の側面には、スイッチ素子２００の可動端２０２が設けられている。可動端２０２は、端部２２４に設けられた配線１２４を介して、端部２２４の端面に設けられた電極１２５に接続している。電極１２５には、配線２１２が接続している。
【００３７】
一方、端子１４のうち配線１４２が接続している部分の上には、絶縁部材３４０及び導電部材３４２がこの順に積層されている。導電部材３４２には配線２１４及びスイッチ素子２００の固定端２０４が接続している。固定端２０４の先端は、可動端２０２に向けて延在しており、可動端２０２に接続可能になっている。具体的には、露出部材２２０の端部２２２が固定部材３１２から突出しているとき、固定端２０４は可動端２０２に接続している。一方、端部２２２が固定部材３１２の内側に押し込められているとき、固定端２０４は可動端２０２から離れている。
【００３８】
本実施例によっても、発光装置１０が照明器具に取り付けられる前の状態では、端部２２２は固定部材３１２の外部に突出しているため、スイッチ素子２００の可動端２０２はスイッチ素子２００の固定端２０４に接続している。従って、自発光素子１００に正孔及び電子が蓄積することを抑制できる。また、発光装置１０が照明器具に取り付けられたとき、露出部材２２０の端部２２２は固定部材３１２の内側に押し込められる。すると、可動端２０２は固定端２０４から離れる。従って、自発光素子１００を使用することができる。また、制御部を必要としないため、発光装置１０の製造コストが増加することを抑制できる。
【００３９】
（実施例４）
図１０は、実施例４に係る発光装置１０の構成を示す図である。図１１は、図１０に示した発光装置１０の等価回路図である。本実施例に係る発光装置１０は、以下の点を除いて実施例１に係る発光装置１０と同様の構成である。
【００４０】
まず、自発光素子１００と配線１２２の間にはヒューズ５００が設けられている。そしてスイッチ素子２００は、ヒューズ５００の接続先を、配線１２２と配線２１４の間で切り替えている。具体的には、スイッチ素子２００は、可動端２０２、固定端２０４、及び第２の固定端２０６を有している。可動端２０２は、露出部材２２０が開口３２０から突出している状態では第２の固定端２０６に接続しており、可動端２０２が開口３２０の内側に位置している状態では固定端２０４に接続している。第２の固定端２０６は、配線２１４を介して配線１４２に接続しており、固定端２０４は配線１２２に接続している。そして、配線２１２は、スイッチ素子２００の可動端２０２をヒューズ５００に接続している。
【００４１】
本実施例によっても、自発光素子１００に正孔及び電子が蓄積することを抑制でき、かつ、発光装置１０の製造コストが増加することを抑制できる。また、自発光素子１００を使用する状態において配線１２２と自発光素子１００の間にヒューズ５００を介在させることができるため、自発光素子１００を過電流（過電圧）から保護することができる。
【００４２】
以上、図面を参照して実施形態及び実施例について述べたが、これらは本発明の例示であり、上記以外の様々な構成を採用することもできる。
【符号の説明】
【００４３】
１０ 発光装置
１００ 自発光素子
２００ スイッチ素子
２２０ 露出部材
２４０ 付勢部
３００ 筐体
３０４ 接触面
３２０ 開口
５００ ヒューズ
【図１】
2015082427.tif 000003
【図２】
2015082427.tif 000004
【図３】
2015082427.tif 000005
【図４】
2015082427.tif 000006
【図５】
2015082427.tif 000007
【図６】
2015082427.tif 000008
【図７】
2015082427.tif 000009
【図８】
2015082427.tif 000010
【図９】
2015082427.tif 000011
【図１０】
2015082427.tif 000012
【図１１】
2015082427.tif 000013